(57)【要約】【課題】配線経路を変更させたい場合に床下空間で作業を行う必要が無く、容易に配線経路を変更させることのできるフロアパネルを提供する。【解決手段】パネル本体７に、スライドガイド部２３、３３を形成すると共に、当該スライドガイド部２３、３３に、パネル本体７を床下空間５が形成されるように配置した状態で、床下空間５に配索された配線１０をパネル本体７の上側からスライドガイド部２３、３３に沿ってスライド可能に支持させる支持部材１１を配設した。【選択図】図２
2010106461.tif 000002
【特許請求の範囲】
【請求項１】
基礎床上に床下空間が形成されるように配置されるパネル本体を有し、部屋の床面を構築するフロアパネルであって、
前記パネル本体に、スライドガイド部を形成すると共に、
当該スライドガイド部に、前記パネル本体を前記床下空間が形成されるように配置した状態で、前記床下空間に配索された配線を前記パネル本体の上側から前記スライドガイド部に沿ってスライド可能に支持させる支持部材を配設したことを特徴とするフロアパネル。  
【請求項２】
前記パネル本体は、前記スライドガイド部が溝状に穿設される底壁と当該底壁の外周から立設された周壁とを有すると共に、天面が開口した凹状を成しており、
当該パネル本体には、前記開口を覆う平板状のプレートが着脱自在に取り付けられることを特徴とする請求項１に記載のフロアパネル。
【請求項３】
前記プレートは、当該プレートの外周部と前記周壁の上端部との間に隙間が形成されるように前記パネル本体に取り付けられることを特徴とする請求項２に記載のフロアパネル。
【請求項４】
前記スライドガイド部は、前記パネル本体を前記床下空間が形成されるように配置した状態で、前記支持部材が互いに隣り合うパネル本体に設けられたスライドガイド部間を相互に移動できるように形成されていることを特徴とする請求項１〜３のうち何れか１項に記載のフロアパネル。
【請求項５】
前記スライドガイド部は、少なくとも一方向に沿って前記底壁の縁部まで延びており、当該縁部が切り欠くように開口していることを特徴とする請求項４に記載のフロアパネル。
【請求項６】
請求項１〜５に記載のフロアパネルが用いられていることを特徴とするフロアパネルシステム。
【請求項７】
基礎床上に床下空間が形成されるようにフロアパネルを複数敷設することで部屋の床面を構築するフロアパネルシステムであって、
互いに隣り合うフロアパネル同士を隙間が形成されるように配置することで、前記床面の上側で前記床下空間に配索される配線を移動させることができるようにしたことを特徴とするフロアパネルシステム。
【発明の詳細な説明】
【技術分野】
【０００１】
本発明は、二重床構造で利用されるフロアパネルに関し、詳細には、簡易に配線経路の変更を行うための技術に関する。
【背景技術】
【０００２】
従来より、例えばオフィスなど屋内で多数の配線が張り巡らされるフロアでは、基礎となる床面の上側にフロアパネルを敷設して床を二重構造とし、当該フロアパネルと床面の間に一定の空間を形成して、その空間に多数の配線を配索できるようにしたフロアパネルシステムが採用されている。
【０００３】
このフロアパネルシステムでは、前記空間が床下空間として機能し、この床下空間に配線を収容することができるため、配線の保護や見栄えの向上を実現することができるという利点がある。
【０００４】
ところで、近年、このようなシステムが利用されるオフィス内では、間取りの変更やＯＡ機器等の配置換えが頻繁に行われるため、当該変更に対応させて工事業者が早急に配線工事を行うことのできるシステムの提供が待ち望まれている。
【０００５】
そこで、特許文献１により、床下空間に配索される配線の途中に、当該配線を着脱自在に接続するジョイント器具を介在させて、配置換えが行われた場合に、前記ＯＡ機器の配置に合わせて前記配線の接続を換えることで配線経路を変更させることが提案されていた。
【特許文献１】特開昭６２−１０７６２６号公報
【発明の開示】
【発明が解決しようとする課題】
【０００６】
しかしながら、上記従来技術では、配線経路を変更させる作業を配線の配索される床下空間で行う必要があり、作業が煩雑であるとの問題があった。
【０００７】
本発明は、このような事情に鑑みてなされたものであり、その目的は、配線経路を変更させたい場合に、床下空間で作業を行う必要が無く、容易に配線経路を変更させることのできるフロアパネルを提供することである。
【課題を解決するための手段】
【０００８】
かかる課題を解決するために第１の発明は、基礎床上に床下空間が形成されるように配置されるパネル本体を有し、部屋の床面を構築するフロアパネルであって、前記パネル本体に、スライドガイド部を形成すると共に、当該スライドガイド部に、前記パネル本体を前記床下空間が形成されるように配置した状態で、前記床下空間に配索された配線を前記パネル本体の上側から前記スライドガイド部に沿ってスライド可能に支持させる支持部材を配設したことを特徴とする。
【０００９】
第２の発明は、基礎床上に床下空間が形成されるようにフロアパネルを複数敷設することで部屋の床面を構築するフロアパネルシステムであって、互いに隣り合うフロアパネル同士を隙間が形成されるように配置することで、前記床面の上側で前記床下空間に配索される配線を移動させることができるようにしたことを特徴とする。
【発明の効果】
【００１０】
第１の発明によれば、配線経路変更作業をパネル本体の上側から行うことができるため、作業を容易とすることができる。
【００１１】
第２の発明によれば、第１の発明と同様の効果を得ることができる。
【発明を実施するための最良の形態】
【００１２】
以下、本発明を適用した具体的な実施の形態について、図面を参照しながら詳細に説明する。
【００１３】
［第１実施形態］
図１は、本実施形態にかかるフロアパネルシステムを概略的に示す斜視図である。
【００１４】
図１に示すように、フロアパネルシステム１は、基礎床２上に配置される複数の支柱３と、これらの支柱３を介して基礎床２上に碁盤の目状に敷設される矩形状の複数のフロアパネル４と、を備えている。フロアパネル４は、その４隅が支柱３によって支持されるようになっており、隣合うフロアパネル４の隣合う隅同士は、同一の支柱３によって支持される。このフロアパネルシステム１と基礎床２とによって、フロアパネル４と基礎床２との間に床下空間５を有する二重床が形成される。
【００１５】
床下空間５には、部屋内に配設されるネットワーク機器や電話機等の各種電気機器に接続される多数の配線を自由に配索できるようになっている。この配線には、図示せぬ伝送物管理装置やアウトレット９が接続可能となっており、アウトレット９に接続される各種電気機器と伝送物管理装置とが当該配線を介して接続されるようになっている。
【００１６】
フロアパネルシステム１が配線によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００１７】
電力は、交流又は直流であり、情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は電気信号又は光信号によって構成される。情報信号は、電力と別体又は一体に伝送され、情報信号が電力と一体に伝送される場合には、情報信号が重畳された交流や直流が用いられる。
【００１８】
伝送物管理装置は、電力を供給可能な電源装置、情報を送受信可能なサーバ、又は、それら電源装置及びサーバの両方の機能を有する複合装置等である。
【００１９】
配線は、伝送物が電力である場合には、電力を伝送可能な電源線が用いられ、伝送物が情報信号である場合には、情報信号を伝送可能なメタル線や光通信線等の情報通信線が用いられる。また、伝送物が電力と情報信号との両方である場合には、配線は、電源線と情報通信線との２系統で構成されるか、又は、電源線だけの１系統で構成される。配線が電源線だけの１系統で構成される場合には、この電源線によって、情報信号が重畳された交流や直流が伝送される。なお、本実施形態では、配線として電源線のケーブル１０を例示している。
【００２０】
アウトレット９は、伝送物が電力である場合には、交流用コンセントや、直流用コンセント、特定の電気機器用の専用端子等の電力用アウトレットが用いられる。なお、図１には、アウトレット９として交流用コンセントを例示してある。交流用コンセントや直流用コンセントには、電源用フロアコンセントやテーブルタップ、各種電気機器が接続可能である。電源用フロアコンセント及びテーブルタップは、伝送される電力に応じて、交流用、直流用又は交流・直流両用のいずれかが用いられる。
【００２１】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、光コネクタ、複合コンセント等である。複合コンセントは、ＬＡＮ用コンセントや、テレビジョン受像機用コンセント、電話機用コンセント、光コネクタ等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００２２】
また、アウトレット９は、伝送物が電力と情報信号との両方の場合には、配線の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００２３】
なお、本実施形態にかかるフロアパネルシステム１では、アウトレット９を介して接続される各種電気機器だけでなく、フロアパネル４に内蔵して配線に接続した電気機器３０や、フロアパネル４外で配線に接続（以下、外部接続ともいう）した電気機器（図示せず）を利用することも可能である。これにより、そのフロアパネル４内外の電気機器３０の遠隔制御や使用をすることができる。このような構成の例を以下に説明する。
【００２４】
例えば、フロアパネル４に内蔵又は外部接続する電気機器３０として位置検出センサを採用することで、人の位置を検出することが可能となる。
【００２５】
また、フロアパネル４に内蔵又は外部接続する電気機器３０として空調機器を採用することで、温度や湿度などの室内空気環境を個別制御することが可能となる。
【００２６】
また、フロアパネル４に内蔵又は外部接続する電気機器３０として照明器具を採用することで、室内照明を制御することが可能となる。
【００２７】
また、フロアパネル４に内蔵又は外部接続する電気機器３０として電力量センサを採用することで、フロアパネルシステム１内の電力量や電力分配を制御することが可能となる。
【００２８】
また、フロアパネル４に内蔵又は外部接続する電気機器３０として物体の有無を検出可能な荷重センサを採用することで、有形資産の位置を検出して管理することが可能となる。
【００２９】
また、フロアパネル４に内蔵又は外部接続する電気機器３０として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。
【００３０】
また、フロアパネル４に内蔵又は外部接続する電気機器３０として圧電素子を採用することで、電力を生み出してその電力を他の電気機器に供給することが可能となる。
【００３１】
ここで、本実施形態では、配線経路変更作業を後述するパネル本体７の上側から行うことのできるフロアパネル４を少なくとも１枚用いてフロアパネルシステム１を形成している。このフロアパネル４について、図２〜図４を参照して詳しく説明する。
【００３２】
本実施形態のフロアパネル４は、図２に示すように、天面が開口した凹状のパネル本体７とこのパネル本体７の開口を覆うようにして着脱可能に取り付けられる平板状のプレート８とを備えている。
【００３３】
プレート８は、例えば、鋼板等の金属部材から形成されるもので、フロアパネル４において人間の歩行面として機能する。図２、図３に示すように、プレート８は、略四角形状を成していて、上面１４が平坦面とされている。また、プレート８の四隅の裏面からはパネル本体７の台座１８に載置される脚部１５が突設されている。
【００３４】
パネル本体７は、こちらもプレート８同様鋼板等の金属部材から形成されていて、フロアパネル４において重量支持部として機能する。図２に示すように、パネル本体７は、略四角形状の底壁１６の外周から周壁１７が立設された有底箱状体に形成されている。また、底壁１６は、前記したプレート８の脚部１５が載置される台座１８から段部１９を介して床底２１が形成される二段構造とされている。
【００３５】
そして、本実施形態では、この二段構造に形成された底壁１６の床底２１に、スライドガイド部が設けられている。
【００３６】
スライドガイド部は、図２に示すように、本実施形態では、底壁１６の床底２１に溝状の開口部２３を穿設することにより形成され、この開口部２３が略四角形状のパネル本体７の対角線を結ぶようにしてＸ字状に設けられている。そして、この開口部２３には、支持部材としての滑車１１がスライド自在に取り付けられる。
【００３７】
滑車１１は、図４に示すように、本実施形態では、開口部２３に装着される滑車本体２４とこの滑車本体２４から突設されるフック１２とを備えて構成されている。滑車本体２４は、開口部２３に挿通される軸部２６を上下方向から一対の円盤部２７ａ、２７ｂで挟み込む構造となっていて、上側の円盤部２７ａが床底２１上を摺動することで滑車１１が開口部２３に沿ってスライド移動する。また、滑車本体２４には、本体を貫通してケーブル１０を挿通させる孔部１３が設けられていて、この孔部１３を介して床下空間５に配索されたケーブル１０を支持させるようにしている。なお、フック１２は、下側の円盤部２７ｂから突設されていて、このフック１２付き円盤部２７ｂが軸部２６に対して分離可能となっている。
【００３８】
このようにして形成される本実施形態のフロアパネル４では、まず、スライドガイド部である開口部２３に滑車１１を装着させる。そして、アウトレット９に接続されたケーブル１０を滑車本体２４の孔部１３に挿通させて支持させると共に、床下空間５に配置される図示せぬジョイント器具に接続させることで部屋の分電盤に電気的に接続させる。また、この時、滑車１１のフック１２にケーブル１０を撓ませるようにして掛けておく。
【００３９】
そして、パネル本体７を支柱３に配置させると共に、プレート８の脚部１５をパネル本体７の台座１８に載置させてプレート８をパネル本体７に取り付ける。この時、図２、図３に示すように、プレート８の四辺の外周部２２とパネル本体７の周壁１７の上端部２０との間にはそれぞれ隙間２５が形成されるようになっていて、この隙間２５からケーブル１０をフロアパネル４上に露出させている。そして、最後にプレート８の上からカバー部材としてのカーペット材６を載せることで、部屋の床面が構築される。
【００４０】
以上のように、本実施形態では、パネル本体７にスライドガイド部としての開口部２３を形成すると共に、この開口部２３に、パネル本体７を床下空間５が形成されるように配置した状態で、床下空間５に配索されたケーブル１０をパネル本体７の上側から開口部２３に沿ってスライド可能に支持させる滑車１１を配設している。そのため、従来では部屋内に配設される各種電気機器を少し移動させたい場合でも、パネル本体７をめくって床下空間５で配線経路を変更させる作業を行う必要があったが、本実施形態では、配線経路を変更させたい場合に、パネル本体７の上側からケーブル１０をスライド移動させることで行うことができ、作業をより簡素なものとすることができる。
【００４１】
また、本実施形態では、天面が開口した凹状のパネル本体７に対して、パネル本体７の開口を覆うようにして平板状のプレート８を着脱自在に取り付ける構成としているため、部屋の床面をフラットにしながら、スライドガイド部及び支持部材を利用してケーブル１０をスライド移動させることができるという利点がある。
【００４２】
また、プレート８をパネル本体７に取り付ける際には、プレート８の四辺の外周部２２とパネル本体７の周壁１７の上端部２０との間にはそれぞれ隙間２５が形成されるため、この隙間２５を介してケーブル１０を取り出すことができ、さらに、四辺の何れの隙間２５からもケーブル１０を取り出すことができるという利点がある。
【００４３】
なお、図３に示すように、ケーブル１０を立ち上げない場合には、凹状プレート９９を利用することで隙間２５を塞ぐことができる。そして、この凹状プレート９９にケーブル１０の取り出し機能を付加することも可能であり、その場合、特定の位置で凹状プレート９９を利用して隙間２５を塞いだままケーブル１０を立ち上げることもできる。
【００４４】
なお、本実施形態では、アウトレット９に接続される電源線のケーブル１０のみを図示しているが、その他の通信線、電話線等のケーブルも同様にして滑車１１に支持させることで、パネル本体７の上側からスライド移動させることができ、例えば、電源線、通信線、電話線等の配線の種類に応じてケーブルの色を換えておけば、さらに作業が効率化される。
【００４５】
次に、図５に基づいてフロアパネルの変形例について説明する。図５に示すフロアパネル４０は、上記実施形態のフロアパネル４に対して、パネル本体３７の構造が異なるものであり、その他の構成は同じである。
【００４６】
本変形例では、図５に示すように、パネル本体３７の底壁３６に溝状の開口部３３を穿設することでスライドガイド部が形成され、この開口部３３が略四角形状に形成されるパネル本体３７の対辺の中央部同士を結ぶように十字状に形成されている。本変形例のフロアパネル４０では、このように開口部３３を十字状とすることで、滑車１１を互いに隣り合うように配置される他のフロアパネル４０に乗り換え移動できるようにすることを目的としたものである。
【００４７】
図５に示すように、本変形例の底壁３６では、滑車１１を乗り換え移動させるため、上記実施形態の底壁１６のような段差を設けていない。そして、十字状に形成される開口部３３が底壁３６の縁部３２までそれぞれ延びており、当該縁部３２に対応する位置の周壁１７には、当該縁部３２を切り欠くように開口した切欠部３１が形成されている。
【００４８】
このようにして形成される本変形例のフロアパネル４０では、支柱３にパネル本体３７を配置させると共に、前記パネル本体３７に隣り合うように他のフロアパネル４０のパネル本体３７を配置させることで、滑車１１を前記隣り合うパネル本体３７間で相互に移動させることが可能となる。なお、配線経路の変更に伴いアウトレット９を移動させたい場合には、プレート８をパネル本体３７から取り外して、アウトレット９をパネル本体３７の切欠部３１に挿通させて、滑車１１を隣り合うパネル本体３７の開口部３３にスライド移動させればよい。
【００４９】
このように、本変形例では、パネル本体３７の切欠部３１を介して滑車１１が他のフロアパネル４０のパネル本体３７に乗り換え可能であるため、ケーブル１０の移動範囲を広げてアウトレット９の位置を自由に調節することができるという利点がある。
【００５０】
なお、本変形例では、ケーブル１０の移動範囲を広げるという技術的思想から、滑車１１を他のフロアパネル４０に乗り換え移動できるような構造としたが、このような技術的思想に基づいて、例えば、パネル本体を長方形状に形成して、当該パネル本体の長手方向に沿って滑車１１をスライド移動させるように構成することも考えられる。
【００５１】
また、本変形例ならびに上記実施形態で用いたフック１２については、当該フック１２に引っ掛けられたケーブル１０が導通しているかしていないかを通電ランプの点灯により通知するクランプメーター機能を付加することも可能であり、その場合、ケーブル１０が活線かどうかの判断をパネル本体７、３７をめくらずに判断することができるという利点がある。
【００５２】
また、本変形例ならびに上記実施形態では、溝状の開口部２３、３３に対して断面略工字状の滑車１１をスライド可能に配設したが、スライドガイド部ならびに支持部材はこのような形状に限定されるものではなく、例えば、開口部２３、３３に対して断面略Ｔ字状の滑車を配設したり、開口部２３、３３の互いに対向する側面に凹状のガイドレールを設け、当該ガイドレールにＴ字状滑車のフランジ部を収容させることで、当該Ｔ字状滑車をスライド可能にする等、種々の変形が可能である。また、本変形例ならびに上記実施形態では、溝状の開口部２３、３３をパネル本体７、３７の底壁１６、３６に設けた構成を例示したが、開口部２３、３３の形成位置はこれに限らず、例えば、パネル本体７、３７の周壁１７に設けるようにしてもよい。
【００５３】
［第２の実施形態］
次に、本発明の第２の実施形態について図面を参照して説明する。図６は、本実施形態にかかるフロアパネルシステム１００を概略的に示す断面図である。本実施形態のフロアパネルシステム１００の基本的な構造は、第１の実施形態のフロアパネルシステム１と同じである。よって、第１の実施形態との相違点を中心に説明し、第１の実施形態と同じ部分には同一符号を付し重複する説明は省略する。
【００５４】
図６に示すように、本実施形態のフロアパネルシステム１００は、床面の上側から配線経路を変更させるという技術的思想から、互いに隣り合うフロアパネル６０ａ、６０ｂ同士を隙間５５が形成されるように配置することで、この隙間５５を介して床下空間５に配索されるケーブル１０を移動させることができるようにしたものである。
【００５５】
具体的には、本実施形態では、フロアパネル６０ａとフロアパネル６０ｂの間に配置される支柱３の上に断面略Ｌ字状に形成される支持板５１を配設して、フロアパネル６０ｂの端部を支持させるようにしている。そして、もう片側のフロアパネル６０ａには、当該フロアパネル６０ａの裏側端部から脚部５３が突設されており、この脚部５３を隙間５５が形成されるように支持板５１上に載置させることで、フロアパネル６０ａとフロアパネル６０ｂとの間に隙間５５を形成している。
【００５６】
本実施形態によれば、配線経路を変更したい場合に、床面の上側からケーブル１０を引っ張ることでアウトレット９の位置を変更させることがができるため、作業を簡素なものとすることができる。
【００５７】
以上、本発明の好適な実施形態について説明したが、本発明は上記実施形態には限定されるものではなく、本発明の要旨を逸脱しない範囲で種々の変形が可能である。
【図面の簡単な説明】
【００５８】
【図１】本発明の第１の実施形態にかかるフロアパネルシステムを概略的に示す斜視図である。
【図２】本発明の第１実施形態にかかるフロアパネルの分解斜視図である。
【図３】本発明の第１実施形態にかかるフロアパネルの断面図である。
【図４】本発明の第１実施形態にかかる支持部材の断面図である。
【図５】本発明の第１実施形態にかかるフロアパネルの変形例を示した図である。
【図６】本発明の第２の実施形態にかかるフロアパネルシステムを概略的に示す断面図である。
【符号の説明】
【００５９】
２    基礎床
４    フロアパネル
５    床下空間
７    パネル本体
１０  ケーブル（配線）
１１  滑車（支持部材）
２３、３３  開口部（スライドガイド部）
【図１】
2010106461.tif 000003
【図２】
2010106461.tif 000004
【図３】
2010106461.tif 000005
【図４】
2010106461.tif 000006
【図５】
2010106461.tif 000007
【図６】
2010106461.tif 000008